(57)【要約】  本発明は、安全機構を有する溶接装置（１０；３０）に関し、溶接装置は２つの電極（１１、１２；２１、２２）を含み、２つの電極のうちの少なくとも１つが他方の電極に対して移動可能に構成される。電極は互いに接触しないで、密閉される非導電性表面を備えた物体（１４）が挿入され得る間隙（１３）を画定する。溶接装置は、作動されているときに少なくとも１つの電極を動かすように構成される、アクチュエータ（１５；２５）と、挿入された物体（１４）が電極の間で圧搾されるときに締付力を定量化するように構成される検出器（１６；２６）と、電極間の距離を測定するように構成される距離センサ（１７；２３）とを含む。物体（１４）が圧搾されるときに電極（１１、１２；２１、２２）の間に位置する物体の導電性を測定するように構成されるコンダクタンスセンサ（２４）もあり、任意選択で電極間に挿入された物体（１４）の位置を検出するように構成される位置センサ（１９ｂ）もある。溶接装置はさらに、検出器（１６；２６）、距離センサ（１７；２３）、およびコンダクタンスセンサ（２４）のうちの少なくとも１つからの入力を処理して、電極間に挿入されているのが血液バッグチューブであるか、または異物であるかを示す出力を供給するように構成されるプロセッサを含む。【選択図】図３
2019531923.tif 000002
【特許請求の範囲】
【請求項１】
２つの電極（１１、１２；２１、２２）、アクチュエータ（１５；２５）および電力源（２０）を含む、安全機構を有する溶接装置（１０；３０）であって、
前記２つの電極（１１；２１、２２）のうちの少なくとも１つが他方の電極に対して移動可能に構成され、前記２つの電極は互いに接触しないで、密閉される非導電性表面を有する物体（１４）が挿入される間隙（１３）を画定し、
前記アクチュエータ（１５；２５）は、作動されているときに、移動可能に構成された前記電極（１１；２１、２２）を動かして、前記物体（１４）が前記間隙（１３）に挿入されるときに圧搾されるように構成され、
前記電力源（２０）は溶接施工を実施するためにエネルギを前記電極に供給するように構成されており、
前記溶接装置（１０；３０）はさらに、
１）挿入された前記物体（１４）が前記電極（１１、１２；２１，２２）の間で圧搾されるときに締付力を定量化するように構成される検出器（１６；２６）、
２）前記物体（１４）が圧搾されるときに前記電極間の距離を測定するように構成される距離センサ（１７；２３）、
３）前記物体（１４）が圧搾されるときに前記電極（１１、１２；２１、２２）の間に位置する物体の導電性を測定するように構成されるコンダクタンスセンサ（２４）
のうちの少なくとも１つを含むこと、および
前記溶接装置が、
前記検出器および前記センサのうちの少なくとも１つからの入力を処理して、前記電極間に挿入されているのが血液バッグチューブであるか、または異物であるかを示す出力を供給するように構成されるプロセッサを含むこと
を特徴とする、溶接装置（１０；３０）。
【請求項２】
前記プロセッサは距離およびコンダクタンスに関する閾値をメモリに蓄積し、前記プロセッサは、センサ出力と蓄積された前記閾値との比較を出力する、請求項１に記載の装置。
【請求項３】
前記プロセッサは様々な材料の種類に関する締付力プロファイルを蓄積し、前記プロセッサは、検出器出力と蓄積された前記プロファイルとの比較を出力する、請求項１または請求項２に記載の装置。
【請求項４】
前記距離センサ（１７；２３）は、少なくとも１つの前記電極（１１；２１、２２）の、他方の電極に対する動作を観察することによって、前記電極間の距離を測定するように構成される、請求項１に記載の溶接装置。
【請求項５】
前記距離センサ（１７；２３）は光学式距離計である、請求項１〜請求項４のいずれかに記載の溶接装置。
【請求項６】
前記物体が画定された間隙（１３）より部分的に外側にあるかどうかを検出するために、追加のセンサ（１９ａ）が設けられ、前記プロセッサ（１８）はさらに、前記物体（１４）が前記画定された間隙（１３）より部分的に外側にあることが検出されるときに、前記アクチュエータ（１５；２５）が作動するのを防ぐように構成される、請求項１〜請求項５のいずれかに記載の溶接装置。
【請求項７】
前記追加のセンサは前記距離センサ（２３）と一体である、請求項６に記載の溶接装置。
【請求項８】
前記電極間に挿入された前記物体（１４）の位置を検出するように、位置センサ（１９ｂ）が設けられ、前記プロセッサ（１８）はさらに、前記位置センサが前記電極（１１、１２；２１、２２）の間に前記物体が設置されていることを検出するときに、前記アクチュエータ（１５；２５）を作動させるように構成される、請求項１〜請求項７のいずれかに記載の溶接装置。
【請求項９】
前記アクチュエータ（１５；２５）は、前記位置センサ（１９ｂ）が前記間隙（１３）内で物体を検出するときに作動される、請求項８に記載の溶接装置。
【請求項１０】
前記電極（１２）の少なくとも１つは固定されている、請求項１〜請求項９のいずれかに記載の溶接装置。
【請求項１１】
２つの電極（１１、１２；２１、２２）、アクチュエータ（１５；２５）および電力源（２０）を含む、安全機構を有する溶接装置（１０；３０）であって、
前記２つの電極（１１；２１、２２）のうちの少なくとも１つが他方の電極に対して移動可能に構成され、前記２つの電極は互いに接触しないで、密閉される非導電性表面を有する物体（１４）が挿入される間隙（１３）を画定し、
前記アクチュエータ（１５；２５）は、作動されているときに、移動可能に構成された前記電極（１１；２１、２２）を動かして、前記物体（１４）が前記間隙（１３）に挿入されるときに圧搾されるように構成され、
前記電力源（２０）は溶接施工を実施するためにエネルギを前記電極に供給するように構成されており、
前記溶接装置（１０；３０）はさらに、
１）挿入された前記物体（１４）が前記電極（１１、１２；２１，２２）の間で圧搾されるときに締付力を定量化するように構成される検出器（１６；２６）、
２）前記物体（１４）が圧搾されるときに前記電極間の距離を測定するように構成される距離センサ（１７；２３）、
３）前記物体（１４）が圧搾されるときに前記電極（１１、１２；２１、２２）の間に位置する物体の導電性を測定するように構成されるコンダクタンスセンサ（２４）、
および任意選択で、
前記電極間に挿入された前記物体（１４）の位置を検出するように構成される位置センサ（１９ｂ）
のうちの少なくとも１つを含むこと、および
前記溶接装置が、
前記検出器（１６；２６）、前記距離センサ（１７；２３）、および前記コンダクタンスセンサ（２４）のうちの少なくとも１つからの入力を処理して、前記電極間に挿入されているのが血液バッグチューブであるか、または異物であるかを示す出力を供給するように構成されるプロセッサを含むこと
を特徴とし、
前記プロセッサは距離およびコンダクタンスに関する閾値をメモリに蓄積するメモリを含み、前記プロセッサは、センサ出力と蓄積された前記閾値の比較を出力し、
前記プロセッサは様々な材料の種類に関する締付力プロファイルを蓄積するメモリを含み、前記プロセッサは、検出器出力と蓄積された前記プロファイルの比較を出力する、
溶接装置（１０；３０）。
【発明の詳細な説明】
【技術分野】
【０００１】
本発明は、概してプラスチック溶接のための、より具体的にはプラスチックチューブのための溶接装置に関し、特に操作者の負傷を防ぐための安全機構に関する。
【背景技術】
【０００２】
溶接装置は通常、血液バッグまたは血液バッグに接続されるチューブなどの、血液を包含するように設計された種々の容器を密閉するために使用される。血液バッグおよびチューブはプラスチック材料を使用して製造されるので、超音波またはＲＦ溶接技術が一般的に使用され、このような装置は本出願人によって提供され、図１に示される。
【０００３】
血液バッグおよびチューブは様々な異なる大きさおよび形状があり、使用者は特定の材料、形状、または厚さに応じて異なる溶接装置を利用する必要がある。一般的に、使用者は血液バッグが満杯のときにプラスチックのチューブを密閉しなければならないが、試験試料のために血液バッグの一部を密閉しなければならない場合があり、使用者は要求されるタスクを実施するために異なる溶接装置を利用する必要がある。
【０００４】
血液バッグなどの血液を包含するために設計される種々の容器を密閉する際、溶接技術（超音波またはＲＦ）が通常使用される。このような製品（ＣＳ５４６  Ｑｓｅａｌ−ｈａｎｄｙ）はコンロイメディカル社（Ｃｏｎｒｏｙ  Ｍｅｄｉｃａｌ）によって提供され、図１に図示される。これはバッテリパック２（つまり直流源）、通常は手持ち式の溶接機器１、およびバッテリパックと手持ち式機器とを接続するためのコード／ケーブル３を含む。このような機器はまた、適切なコードを介して、交流電源から電力を得る。Ｑｓｅａｌ−ｈａｎｄｙは、血液パックもしくはアフェレーシスディスポーザブルセットのいずれかに含まれる血液バッグに接続される、ＰＶＣおよびＥＶＡチューブを密閉するための完全自動システムである。提供者がまだ血液パックもしくはアフェレーシスディスポーザブルセットに接続されているときに、密閉されることがある。
【０００５】
従来技術の機器は、異なるチューブを識別することができるが（たとえば、厚さ／直径、材料の弾性など）、たとえば指が意図せず電極間の溶接領域に挿入されたかどうかを検出する性能を持っていない。溶接には高いエネルギが使用されていることから、人体組織はこのような場合において深刻な損傷を受ける可能性がある。
【０００６】
従って、たとえば指の形をした人体組織とプラスチックのチューブを識別でき、もしこのような検出がされると作業を中止する、溶接装置を開発する需要がある。
【発明の概要】
【０００７】
本発明の目的は、操作者の負傷を防ぐ安全機構を有する溶接装置を提供することである。
【０００８】
目的は以下を含む溶接装置で達成され得る。
【０００９】
本発明の従来技術に対する利益と利点は、溶接機に手を加えることによって、装置の操作者が深刻な熱傷を負うことがないということである。
【００１０】
さらなる目的および利点は、詳細な説明と図から当業者に明らかになるであろう。
【図面の簡単な説明】
【００１１】
【図１】従来技術の溶接装置を示す図である。
【図２】コードレス式の従来技術の溶接装置を示す図である。
【図３】溶接装置の第一実施形態を示す図である。
【図４】溶接装置の第二実施形態を示す図である。
【図５】コンダクタンス測定機器の実施形態を示す図である。
【図６】溶接施工を実施するための方法を示すフローチャートである。
【図７】安全面を特徴とする溶接施工の作業を示すフローチャートである。
【発明を実施するための形態】
【００１２】
本発明およびその説明のために、「プロセッサ」は要求される機能を実施できる任意の機器、つまりデジタル機器およびアナログ機器の両方を包含するように理解されるべきである。
【００１３】
図１はコード２を介してバッテリパック３に取り付けられる溶接ユニット１を有する、従来技術の溶接装置を図示する。
【００１４】
図２は、バッテリパックを備えたパワーユニット５の形態の第一ユニットと、溶接機４の形態の第二ユニットとの、２つの部品を含むコードレス溶接装置を図示する。パワーユニットは装置のハンドル６にあるスロットに挿入される。背景技術で述べたように、使用者の視点からはバッテリパックがハンドルに備えられたコードレスの実施形態が好ましいが、もちろん、電力は配電網から、もしくは他の任意の外部電源から得ることが可能である。
【００１５】
前述のように、従来技術の溶接装置の欠点は、意図せずにかつ不適切に溶接機に手を加えることによって、操作者が負傷するのを避けるための安全システムがないことである。
【００１６】
図３は、２つの電極１１、１２と、アクチュエータ１５と、電力源２０と、締付力検出器１６と、物体が圧搾されるときの電極間の距離を測定するように構成される距離センサ１７と、物体が圧搾されるときの電極間のコンダクタンスを測定するように構成されるコンダクタンスセンサ２４と、たとえば血液バッグチューブなどの適切な物体が電極間に挿入されているか、もしくはそれが例えば指などの異物であるかを、検出器１６およびセンサ１７、２４の少なくとも１つからの入力に基づいて判断するように構成されるプロセッサ１８とを含む、溶接装置１０の第一実施形態を示す。
【００１７】
ここで図３を参照しながら、溶接機の操作が概して説明され、特に安全機構が説明される。
【００１８】
第一電極１１は固定されている他方の電極１２に対して移動可能なように配置され、２つの電極は互いに接触しない。間隙１３は密閉される物体１４が挿入され得る電極の間に画定される。プラスチックチューブまたはプラスチックバッグなどの溶接される物体１４は、非導電性表面を備えており、一般的に非導電性材料で製造される。
【００１９】
作動されている際に、アクチュエータ１５（たとえば、ステップモータ、ブラシレス直流モータなど）は、物体１４が間隙１３内に挿入されているときに、第一電極１１を他方の電極１２に向かって動かして間隙１３を閉じるように構成される。電力源２０は、溶接施工を実施するのに必要な時間および／またはエネルギを制御する、プロセッサ１８からの制御信号３４が受信されると、溶接施工を実施するためのエネルギを電極に供給するように構成される。
【００２０】
溶接施工を実施するのに必要な時間および／またはエネルギを計算するために、物体に関する情報を収集する必要がある。挿入された物体１４が電極１１、１２の間で圧搾されるときに、締付力検出器１６は締付力を定量化するように構成され、距離センサ１７は電極間の距離を測定するように構成される。締付力は締付力を検出することによって、または電力消費（直流モータへの電流および電圧）に基づいて締付力を計算することによって定量化され得る。
【００２１】
定量化された締付力および測定された距離は、物体がどのような特性を有するか、つまり、チューブもしくはシート、厚さおよび材料の種類に関する指標である。より具体的には、締付力Ｆｃｌａｍｐは、移動する電極の変位、つまり電極間の距離（あるいは空間もしくは時間の同等の相対的位置測定）の関数として記録される。従って、力Ｆｃｌａｍｐは、材料の弾性／剛性に応じて、ある特定の材料に関してある特定のプロファイルを有する。
【００２２】
プロセッサは定量化された締付力プロファイルと電極間で測定された距離とに基づいて、挿入された物体への溶接施工が実施されるのに必要な時間および／またはエネルギ量を計算する。
【００２３】
プロセッサ１８はメモリを備えており、メモリは種々の材料に関する締付力プロファイルに対応するデータを含み、検出器およびセンサからの入力データに基づいて制御された溶接を実施するためのものである。従って、プロセッサは、適切な溶接施工に関するメモリからのデータを、電極間の締付力および距離の関数として検索する。データはルックアップテーブルに蓄積されるのが好ましい。さらに、異なる材料に対して別々のルックアップテーブルが実装される場合があり、物体がどの材料から作られているかに関する情報は使用者から得られる場合がある。例えば、バーコード２８からの情報を読み込む内蔵式バーコードリーダ２７を使用し、情報を有する信号２９がプロセッサ１８に転送されて、溶接施工に使用される正しいルックアップテーブルを選択する。
【００２４】
さらに、溶接装置１０は、コンピュータなどの外部装置とのワイヤレス通信を容易にして情報交換するように、トランシーバ回路３９などのワイヤレス通信インターフェースを備えている。この種の情報は、適合してそれにより溶接施工を最適にするために、ルックアップテーブルに蓄積される更新されたデータと、新しいルックアップテーブルに蓄積されるデータも含む。間隙に挿入された物体の材料の種類に関する情報はまた、ワイヤレス通信インターフェースを介してプロセッサに供給され得る。
【００２５】
距離センサ１７は、第一電極１１の他方の電極１２に対する動作を観察することによって、電極間の距離を測定するように構成される。本実施形態では、これは、第一電極１１に取り付けられてアクチュエータ１５によって制御される、ロッド１５ｂの動作を観察するように構成されるセンサによって行われる。
【００２６】
任意で、物体１４が画定された間隙１３より部分的に外側にあるかどうかを検出するために、追加のセンサ１９ａが設けられることがある。この場合プロセッサ１８はさらに、物体１４が画定された間隙１３より部分的に外側にあることが検出されるときに、アクチュエータ１５が作動するのを防ぐように構成される。従って、物体１４への溶接不良を防ぐ。
【００２７】
非常に薄い材料（電極間で測定される距離に基づく）が間隙１３の外側にあることを検出するのは、物体がプラスチックシートであることを確認し、適切な溶接施工が使用されていることを保証するために使用され得る。
【００２８】
任意で、電極間に挿入された物体１４の位置を検出するように、追加の位置センサ１９ｂが設けられる。この場合プロセッサ１８は、追加の位置センサが電極１１、１２の間に物体が設置されていることを検出するときに、前述のアクチュエータ１５を作動させるように構成される。従って、追加の位置センサからの信号は、電極間に物体が挿入されていないときに溶接施工が作動するのを防ぐ。追加の位置センサからの信号はまた、アクチュエータが作動されるべきである指標として使用される場合があり、それにより後述される別のボタン３１が要求されない。
【００２９】
電力源２０は、プロセッサ１８からの制御信号３４によって作動されるバッテリを含み得る。ボタン３１を押すこと、もしくは間隙１３に物体が存在することを検出することのいずれかによって、アクチュエータ１５が作動されるとき、間隙が減少される。第二センサ１９ａおよび／または第三センサ１９ｂが実装される場合、信号３２および３３がプロセッサに転送され、プロセッサはアクチュエータが作動する前にアクチュエータにイネーブル信号（３６で示される）を送信する。物体１４（電極間に挿入されている）が圧搾されると、プロセッサ１８は締付力検出器１６からの信号（３６で示される）および第一センサ１７からの信号（３５で示される）を受信する。プロセッサ１８はその後、溶接施工を実施するのに必要な所要時間および／またはエネルギを計算する。
【００３０】
図４は、２つの電極２１、２２、アクチュエータ２５、電力源２０、締付力検出器２６、距離センサ２３、コンダクタンスセンサ２４、およびプロセッサ１８を含む、溶接装置３０の第二実施形態を示す。
【００３１】
本実施形態では、各電極２１、２２は他方に対して移動可能で、動作はアクチュエータ２５によって制御され、２つの電極は互いに接触しない。間隙１３は密閉される物体１４が挿入され得る電極の間に画定される。プラスチックチューブまたはプラスチックバッグなどの物体１４は、非導電性表面を備えており、一般的に非導電性材料で製造される。
【００３２】
アクチュエータ２５は、物体１４が間隙１３内に挿入されているときに、第一電極２１および第二電極２２を互いに向かって移動させて間隙１３を閉じるように構成される。電力源２０は、溶接施工を実施するのに必要な時間および／またはエネルギを制御する、プロセッサ１８からの制御信号３４が受信されると、溶接施工を実施するためのエネルギを電極に供給するように構成される。
【００３３】
溶接施工を実施するのに必要な時間および／またはエネルギを計算するために、物体に関する情報を収集する必要がある。挿入された物体１４が電極２１、２２の間で圧搾されるときに、締付力検出器２６は締付力を定量化するように構成され、距離センサ２３は電極間の距離を測定するように構成される。材料の種類に関する情報は、バーコードリーダ（図示なし）を使用して、または図３に関連して前述したワイヤレス通信インターフェースを通して得られ得る。
【００３４】
定量化された締付力および測定された距離は、物体がどのような特性を有するか、つまり、チューブもしくはシート、厚さおよび材料の種類に関する指標であるが、バーコードリーダによってもしくはワイヤレス通信インターフェースを通じて供給される外部情報もまた供給され得る。プロセッサは、前述のように、定量化された締付力と電極間で測定された距離とに基づいて、挿入された物体への溶接施工が実施されるのに必要な時間および／またはエネルギ量を計算する。
【００３５】
本実施形態では、距離センサ２３は、光を使用して１つの電極の他方の電極に対する動作を観察することで、電極間の距離を測定するように構成される、光学式距離計である。
【００３６】
任意で、物体１４が画定された間隙１３より部分的に外側にあるかどうかを検出するために、追加のセンサ（図示なし）が設けられることがある。この場合プロセッサ１８はさらに、物体１４が画定された間隙１３より部分的に外側にあることが検出されるときに、アクチュエータ２５が作動するのを防ぐように構成される。従って、物体１４への溶接不良を防ぐ。第二センサは第一センサ２３と一体でもよい。
【００３７】
任意で、電極間に挿入された物体１４の位置を検出するように、追加の位置センサ（図示なし）が設けられる。この場合プロセッサ１８は、第三センサが電極２１、２２の間に物体が設置されていることを検出するときに、前述のアクチュエータ２５を作動させるように構成される。従って、追加の位置センサからの信号は、電極間に物体が挿入されていないときに溶接施工が作動するのを防ぎ、アクチュエータを作動させるために、別のボタン３１を使用する代わりに、信号が使用される場合がある。
【００３８】
本発明にしたがって、電極間の間隙に挿入された物体が圧搾されるとき、電極間のコンダクタンスを測定するように構成される、コンダクタンスセンサ２４がまた設けられる。
【００３９】
従って、安全機構を有する溶接装置は、ａ）挿入された物体が電極間で圧搾されるときの締付力を定量化するように構成される検出器１６、ｂ）物体が圧搾されるときの電極間の距離を測定する距離センサ１７、ｃ）物体が圧搾されるときの電極間のコンダクタンスを測定するように構成されるコンダクタンスセンサ２４のうちの少なくとも１つを含む。装置はまたプロセッサを含み、プロセッサは、検出器およびセンサの少なくとも１つからの入力を処理して、適切な物体（たとえば血液バッグチューブ）が電極間に挿入されているか、もしくは異物であるか（たとえば指）を示す出力を供給するように構成される。
【００４０】
コンダクタンスセンサ２４は、図６に図示されるように、オーム計を電極に渡って接続することによって実装され得る。コンダクタンス（Ｇ、ジーメンスで）は、抵抗（Ｒ）の逆数で、つまりＧ＝１／Ｒである。従って、コンダクタンスは容易に計算される。
【００４１】
たとえばプラスチックチューブなどの、溶接装置に使用されるように意図される物体のコンダクタンスは低いので、コンダクタンス測定は、チューブと、たとえばより大きなコンダクタンスの桁を示す人体組織（皮膚）とを識別するのに優れた手段となり得る。
【００４２】
同様の理由で、加えられる締付力はチューブと他の物体とで異なる。また、チューブの直径は例えば指の直径より著しく小さいので、距離センサの出力もこの目的のために使用され得る。
【００４３】
しかしながら、最適な判断は、検出器／センサからの全ての出力の組み合わせに基づく。
【００４４】
図５には、コンダクタンスセンサの好ましい実施形態が図示される。
【００４５】
これは、電極１１、１２（もしくは２１、２２）に結合されるオーム計５０を含む。電極間に間隙があるとき、つまり物体が存在しないとき、コンダクタンスＧはもちろん０（Ｒ＝∞、Ｇ＝１／Ｒ）であって、もし物体１４が０でないコンダクタンスを示す場合、信号がプロセッサ１８に送信される。コンダクタンス測定のためのいかなる他の構成ももちろん等しく可能で、本発明の発想の範囲内である。
【００４６】
電力源２０は、プロセッサ１８からの制御信号３４によって作動されるバッテリを含み得る。ボタン３１を押すこと、もしくは間隙１３に物体が存在することを検出することのいずれかによって、アクチュエータ２５が作動されるとき、間隙が減少される。第二センサおよび／または第三センサが実装される場合、信号がプロセッサ１８に転送され、プロセッサはアクチュエータが作動する前にアクチュエータにイネーブル信号（３８で示される）を送信する。物体１４（電極間に挿入されている）が圧搾されると、プロセッサ１８は締付力検出器２６からの信号（３８で示される）および第一センサ２３からの信号（３７で示される）を受信する。プロセッサ１８はその後、溶接施工を実施するのに必要な所要時間および／またはエネルギを計算する。
【００４７】
図３および図４のプロセッサ１８はさらに、定量化された締付力が既定値を超えて、溶接施工を開始する前に物体が十分に圧搾されていることが確実になるとき、溶接施工を実施するのに要求される時間および／またはエネルギ量を計算するように構成され得る。
【００４８】
プロセッサ１８はまた、検出器／センサによって測定される特性の全てを、各特性に関する閾値と比較するように構成される。前述の閾値は、溶接機が、意図された材料に対して常に作業可能で、もしたとえば指が間隙に挿入されると常に作業不可能となることを保証するように選定される。
【００４９】
図６は溶接施工を実施する方法を概して説明する、フローチャートを示す。
【００５０】
フローは段階４０で始まり、段階４１で非導電性表面を備えた物体１４が２つの電極１１、１２；２１、２２の間の間隙１３に設置される。段階４２で、アクチュエータ１５、２５が作動され、電極１１；２１、２２のうちの少なくとも１つを、他方の電極に対して移動させて、物体１４を電極間で圧搾する。
【００５１】
段階４３で、物体１４が電極１１、１２；２１、２２間で圧搾されるときの締付力が定量化され、段階４４で、物体１４が電極１１、１２；２１、２２の間で圧搾されるときの電極間の距離が測定される。
【００５２】
段階４５で、挿入された物体１４に対して溶接施工を実施するのに要求される時間および／またはエネルギが、定量化された締付力と電極間で測定された距離とに基づいて、プロセッサ１８で計算され、段階４６で、電力源２０から放出されるエネルギが、計算された時間および／またはエネルギに基づいて、プロセッサ１８によって制御される。
【００５３】
段階４７では、エネルギは電力源から、プロセッサ１８に制御されて、前述の電極に供給され、溶接施工が実施され、フローは段階４８で完了する。
【００５４】
段階４５はさらに、定量化された締付力が既定値を超えて、溶接施工を開始する前に物体が十分に圧搾されていることが確実になるとき、溶接施工を実施するのに要求される時間およびエネルギ量を計算することを含む。
【００５５】
プラスチックチューブおよびシートを溶接するのに一般的に使用される溶接技術は、ＲＦエネルギを使用する高周波溶接、あるいは超音波溶接であるが、他の種類の溶接技術が本発明に従う溶接装置に実装されてもよい。
【００５６】
図７は安全面に関してフローチャートの形式で示す。
【００５７】
このように、物体が間隙に設置される（チューブなどの適切な物体、または指などの適切でない物体のいずれか）。アクチュエータが作動され、物体を電極間で圧搾し始める。その過程で締付力、距離、およびコンダクタンスが測定される。もし対象の特性に関して、測定値が設定閾値より高く、プラスチックチューブでないことを示す場合、作業が打ち切られ、つまり溶接が開始されない。
【００５８】
一方で、もし測定値が許容範囲内である（つまり閾値より低い）場合、他の必要条件が満たされるとすぐに溶接が開始される。
【図１】
2019531923.tif 000003
【図２】
2019531923.tif 000004
【図３】
2019531923.tif 000005
【図４】
2019531923.tif 000006
【図５】
2019531923.tif 000007
【図６】
2019531923.tif 000008
【図７】
2019531923.tif 000009
【国際調査報告】
2019531923.tif 000010
2019531923.tif 000011